(57)【要約】      （修正有）【課題】ブルのセグメント部材の回転を防止するダーツボード装置を提供する。【解決手段】ダーツボード装置は、各セグメントを画定するスパイダと、各セグメントにそれぞれ挿入される複数のセグメント部材と、メンブレンシートの背面側に設けられ、複数の押圧センサに対応する押圧受け面を有する中板とを備える。スパイダの中央部の背面側に複数のネジ止め用ボス１１１及び押さえ部材受け座１１２ａ、１１２ｂが設けられ、中板の対応する位置には複数のネジ止め用孔が設けられ、複数のネジ止め用ボス１１１が複数のネジ止め用孔に挿入されてネジ止め用ボス１１１にネジを螺合することで、中板が押さえ部材受け座１１２ａ、１１２ｂに支持された状態でスパイダに固定され、この状態で各セグメント部材は前後に可動である。【選択図】図４
0003201090.tif 000002
【実用新案登録請求の範囲】
【請求項１】
ダーツボードの各セグメントを画定するスパイダと、
前記セグメントの各々にそれぞれ挿入される複数のセグメント部材と、
前記複数のセグメント部材の背面側に設けられ、各セグメント部材にそれぞれ対応する複数の押圧センサを備えたメンブレンシートと、
前記メンブレンシートの背面側に設けられ、前記複数の押圧センサに対応する押圧受け面を有する押さえ部材と、
を備え、
前記スパイダの中央部には、背面側に突出し、かつネジ溝が形成された複数のネジ止め用ボス及び押さえ部材受け座が設けられ、
前記押さえ部材の前記複数のネジ止め用ボスに対応する位置には、前記複数のネジ止め用ボスがそれぞれ挿入される複数のネジ止め用孔が設けられ、
前記複数のネジ止め用ボスが前記複数のネジ止め用孔に挿入されて前記ネジ止め用ボスにネジを螺合することで、前記押さえ部材が前記押さえ部材受け座に支持された状態で前記スパイダに固定され、この状態で各セグメント部材は前後に移動して対応する前記押圧センサを押圧可能であることを特徴とするダーツボード装置。
【請求項２】
前記ネジ止め用ボスは、ブルを画定するスパイダの背面側に設けられていることを特徴とする請求項１に記載のダーツボード装置。
【考案の詳細な説明】
【技術分野】
【０００１】
本考案は、ダーツボード装置に関し、特に、各セグメントに、前後に移動して押圧センサを押圧可能なセグメント部材が設けられるダーツボード装置に関するものである。
【背景技術】
【０００２】
従来、ダーツボード装置として、各セグメントに、前後に移動可能なセグメント部材が設けられ、ダーツが的中したセグメント部材の裏側の突起が、セグメント部材の裏側にある押圧センサを押圧することで、ダーツが的中したセグメントを検出するダーツボード装置が知られている。ダーツボード装置の背板には、押し下げられたセグメント部材の突起を押圧センサの背面側で受けて、セグメント部材の突起とともに押圧センサを挟んで押圧するための突起が設けられている。
【０００３】
各セグメントは、フロントパネルに一体的に形成されたスパイダに前後動可能に納められる。各セグメントは同芯状の扇形であり、ブル（Bull）と呼ばれる中央のセグメントは円形である。
【０００４】
なお、本考案に関連する先行技術として、以下の先行技術文献がある。
【先行技術文献】
【特許文献】
【０００５】
【特許文献１】特開２００４−３２５０６６号公報
【考案の概要】
【考案が解決しようとする課題】
【０００６】
ブルは円形であるので、ブルのセグメント部材は円柱形である。ブルのセグメント部材には、円周方向に回転しないように回り止め爪が設けられている。この回り止め爪がスパイダに係合して、ブルのセグメント部材の回転が防止されている。
【０００７】
しかしながら、ブルはダーツゲームにおいて最も多く狙われるセグメントであり、ブル及びその周辺を含む中央部にダーツが的中することが多く、よって、長期の使用によって背板の中央部が撓んでしまう。背板の中央部における撓み変形に伴って、ブルのセグメント部材の押し下げの可動量も大きくなると、回り止め爪がスパイダから外れてブルのセグメント部材が回転してしまう。
【０００８】
本考案は、上記の問題に鑑みてなされたものであり、ブルのセグメント部材の回転を防止することを目的とする。
【課題を解決するための手段】
【０００９】
本考案の第１の態様のダーツボード装置は、ダーツボードの各セグメントを画定するスパイダと、前記セグメントの各々にそれぞれ挿入される複数のセグメント部材と、前記複数のセグメント部材の背面側に設けられ、各セグメント部材にそれぞれ対応する複数の押圧センサを備えたメンブレンシートと、前記メンブレンシートの背面側に設けられ、前記複数の押圧センサに対応する押圧受け面を有する押さえ部材とを備え、前記スパイダの中央部には、背面側に突出し、かつネジ溝が形成された複数のネジ止め用ボス及び押さえ部材受け座が設けられ、前記押さえ部材の前記複数のネジ止め用ボスに対応する位置には、前記複数のネジ止め用ボスがそれぞれ挿入される複数のネジ止め用孔が設けられ、前記複数のネジ止め用ボスが前記複数のネジ止め用孔に挿入されて前記ネジ止め用ボスにネジを螺合することで、前記押さえ部材が前記押さえ部材受け座に支持された状態で前記スパイダに固定され、この状態で各セグメント部材は前後に移動して対応する前記押圧センサを押圧可能である。
【００１０】
本考案の第２の態様のダーツボード装置は、第１の態様のダーツボード装置において、前記ネジ止め用ボスは、ブルを画定するスパイダの背面側に設けられていることを特徴とする。
【考案の効果】
【００１１】
本考案によれば、押さえ部材とスパイダとが中央部のネジ止め用ボスによってネジ止めされるので、中央部においてスパイダと押さえ部材との距離を一定に保つことができ、ダーツが繰り返し中央部に投げられることによってブルのセグメント部材の回り止め爪が外れてしまうことを防止できる。
【図面の簡単な説明】
【００１２】
【図１】本考案の実施の形態におけるダーツボード装置の分解斜視図
【図２】本考案の実施の形態におけるダーツボード装置の部分断面図
【図３】本考案の実施の形態におけるダーツボード装置の分解斜視図
【図４】本考案の実施の形態におけるスパイダのＡ部分の拡大図
【図５】本考案の実施の形態における中板（押さえ部材）のＢ部分の拡大図
【考案を実施するための形態】
【００１３】
以下、本考案の実施の形態のダーツボード装置について、図面を参照しながら説明する。なお、以下に説明する実施の形態は、本考案を実施する場合の一例を示すものであって、本考案を以下に説明する具体的構成に限定するものではない。本考案の実施にあたっては、実施の形態に応じた具体的構成が適宜採用されてよい。
【００１４】
図１は、本考案の実施の形態におけるダーツボード装置の分解斜視図である。ダーツボード装置１０では、スパイダ１１０が一体形成されたフロントパネル（前板）１１の扇状の各セグメント（区画）にセグメント部材１２が挿入され、その裏に、クッションシート１３を介在させて、メンブレンシート１４を設けている。スパイダ１１０は、各セグメントを画定している。
【００１５】
本実施の形態のダーツボード装置１０では、メンブレンシート１４の背面側に、押さえ部材としての中板１７を設け、中板１７の背面側に、クッションシート１５を介して背板１６が設けられている。フロントパネル１１と背板１６とがネジで固定されて上記の構成が維持される。ダーツボード装置１０は、背板１６が壁等の取付面に取り付けられて用いられる。
【００１６】
メンブレンシート１４には、複数のセグメント部材１２に対応する複数の押圧センサ１４１が設けられており、各押圧センサ１４１がメンブレンシート１４内の配線によって図示しない制御回路に接続されている。セグメント部材１２にはその背面側にメンブレンシート１４の押圧センサ１４１を押圧するための突起が形成されており、メンブレンシート１４にはこれらの突起に対応するように押圧センサ１４１が設けられている。具体的には、複数の押圧センサ１４１は、メンブレンシート１４の中央部分では同心円状に配置されており、その外側では放射状に配置されている。
【００１７】
押圧センサ１４１が押圧されると押圧センサ１４１はそれを検出して検出信号を生成する。これによって、ダーツが的中したセグメント部材１２の突起が押圧センサ１４１を押圧して、当該セグメント部材１２が押し下げられたことを検出できる。押圧センサ１４１は、ダーツが的中することで押し下げられたセグメント部材１２の突起と、中板１７によって挟まれることで押圧される。
【００１８】
中板１７は、ネジでフロントパネル１１に固定されてフロントパネル１１に支持される。中板１７は樹脂で構成される。中板１７は、メンブレンシート１４の押圧センサ１４１に対応する箇所に平らな押圧受け面を有する。中板１７において、押圧センサ１４１に対応しない部分は中抜きされている。中板１７は、フロントパネル１１のスパイダ１１０に対応する形状を有しており、即ち、複数の同心円の部分と中央から放射状に延びる部分とが一体となって構成されている。
【００１９】
このように、中板１７において、押圧受け面以外の部分を中抜きすることで、中板１７を軽量化できる。なお、中板１７は、押圧センサ１４１に対応しない面が中抜きされていない板状の部材であってもよい。
【００２０】
図２は、本実施の形態のダーツボード装置の部分断面図である。図２に示すように、フロントパネル１１のスパイダ１１０の間に対応するセグメント部材１２が挿入されており、セグメント部材１２の前面が露出している。セグメント部材１２の前面側には、そこにダーツの先端が刺さる孔が複数形成されている。ダーツはセグメント部材１２の孔に刺さると、その衝撃でセグメント部材１２を背面側に押し下げ、孔に刺さったままセグメント部材１２に保持される。
【００２１】
メンブレンシート１４には、セグメント部材１２の背面側の突起１２１に対応する位置に押圧センサ１４１が形成されており、押圧センサ１４１に対応する位置には中板１７が存在している。背板１６は、中板１７の背面側に設けられ、背板１６と中板１７との間にはクッションシート１５が設けられる。
【００２２】
この構成により、ダーツがあるセグメント部材１２に突き刺さって当該セグメント部材１２が押し下げられると、当該セグメント部材１２の背面側に形成された突起１２１と、中板１７の平らな押圧受け面とで、メンブレンシート１４の対応する押圧スイッチ１４１が押圧されて、当該セグメント部材１２の押し下げが検出される。
【００２３】
図３は、フロントパネルと中板との間の構成を背面側から見た分解斜視図である。図３において、複数のセグメント部材１２のうち、中央のブルのセグメント部材１２Ｂ以外は図示を省略している。図４は、図３のＡ部分の拡大図であり、図５は、図３のＢ部分の拡大図である。
【００２４】
図３及び図４に示すように、フロントパネル１１の中央部の背面側には、複数のネジ止め用ボス１１１が背面側に向けて突設されている。具体的には、４つのネジ止め用ボス１１１がブルを画定する円形のスパイダの背面側に設けられている。各ネジ止め用ボス１１１には、ネジ溝が形成されている。
【００２５】
図４に詳細に示されるように、各ネジ止め用ボス１１１には円周方向に隣接して、押さえ部材受け座１１２ａ又は押さえ部材受け座１１２ｂが形成されている。押さえ部材受け座１１２ａ、１１２ｂはいずれもネジ止め用ボス１１１の先端より低い位置に押さえ部材受け面１１２１を有しており、各押さえ部材受け面１１２１の高さは互いに同じである。
【００２６】
押さえ部材受け座１１２ａから周方向に所定の間隔をあけて、ブルを画定する円形のスパイダの背面側に、押さえ部材受け座１１２ａ、１１２ｂより高さの低い回り止め１１３が設けられている。押さえ部材受け座１１２ａは、押さえ部材受け面１１２１より低く、かつ、回り止め１１３と同じ高さの回り止め部１１２２を有している。回り止め１１３と回り止め部１１２２の間に、ブルのセグメント部材１２Ｂの回り止め爪１２２が係合して、スパイダ１１０に対するブルのセグメント部材１２Ｂの回転が防止される。
【００２７】
図５に示すように、中板１７には複数のネジ止め用ボス１１１に対応して、複数のネジ止め用孔１７１が形成されている。ネジ止め用ボス１１がネジ止め用孔１７１に挿入されると、押さえ部材としての中板１７は、その前面が、押さえ部材受け座１１２ａ、１１２ｂの押さえ部材受け面１１２１に当接する。
【００２８】
この状態で、ネジ止め用ボス１１１の先端は、ネジ止め用孔１７１の中に位置しており、ネジ止め用孔１７１に背面側からネジを挿入して、ネジの頭部が中板１７に当接するまでネジ止め用ボス１１１のネジ溝に螺合させると、押さえ部材としての中板１７は、その前面が、押さえ部材受け座１１２ａ、１１２ｂの押さえ部材受け面１１２１に支持された状態で固定される。
【００２９】
この状態で、ブルのセグメント部材１２Ｂは押圧センサを押圧する位置と押圧しない位置との間で前後に移動可能であり、この移動範囲では回り止め爪１２２が回り止め１１３と回り止め部１１２２とを乗り越えることがない。
【００３０】
以上のように、本考案のダーツボード装置１０によれば、ダーツボードの中央部において、スパイダ１１０と押さえ部材としての中板１７との距離がネジ止めによって固定され、かつ、その間に配置されるブルのセグメント部材１２Ｂは、押圧センサを押圧する位置と押圧しない位置との間で前後に移動可能であり、かつこの移動範囲では回り止め爪１２２が回り止め１１３と回り止め部１１２２とを乗り越えることがないので、ダーツボードの中部に繰り返しダーツが当たっても、それによって、ブルのセグメント部材１２Ｂの回り止め爪１２２が回り止めを乗り越えて回転してしまうことを防止できる。
【００３１】
なお、上記の実施の形態では、ネジ止め用ボス１１１及び押さえ部材受け座１１２ａ、１１２ｂを、ブルを画定する円形のスパイダ上に設けたが、ネジ止め用ボス１１１の位置はこれに限られず、ダーツボードの中央部にブルを画定する円形のスパイダ上になくてもよい。また、押さえ部材受け座１１２ａ、１１２ｂは、必ずしもネジ止め用ボス１１１に隣接して設けられていなくてもよい。
【産業上の利用可能性】
【００３２】
本考案は、押さえ部材としての中板１７とスパイダ１１０とが中央部のネジ止め用ボス１１１によってネジ止めされるので、中央部においてスパイダ１１０と中板１７との距離を一定に保つことができ、ダーツが繰り返し中央部に投げられることによってブルのセグメント部材１２Ｂの回り止めが外れてしまうことを防止できるという効果を有し、各セグメントに前後に移動可能なセグメント部材が設けられるダーツボード装置等として有用である。
【符号の説明】
【００３３】
１０  ダーツボード装置
１１  フロントパネル
１１０  スパイダ
１１１  ネジ止め用ボス
１１２ａ、１１２ｂ  押さえ部材受け座
１１２１  押さえ部材受け面
１１２２  回り止め部
１１３  回り止め
１２  セグメント部材
１２Ｂ  ブルのセグメント部材
１２１  突起
１２２  回り止め爪
１３  クッションシート
１４  メンブレンシート
１４１  押圧センサ
１５  クッションシート
１６  背板
１７  中板
１７１  ネジ止め用孔
【図１】
0003201090.tif 000003
【図２】
0003201090.tif 000004
【図３】
0003201090.tif 000005
【図４】
0003201090.tif 000006
【図５】
0003201090.tif 000007